(57)【要約】【課題】  棚板等を変更したりするのが容易な什器の提供。【解決手段】  前後の柱１，２と、柱１，２に支持される商品陳列部材１０とを備え、柱１，２は、長手方向に沿ってレール取付溝４を有し、レール取付溝４に商品陳列部材１０の支持具６を取付自在な複数の係合部７，７，…を有するレール５を取付けてある。【選択図】      図１
2015058235.tif 000002
【特許請求の範囲】
【請求項１】
前後の柱と、柱に支持される商品陳列部材とを備え、柱は、長手方向に沿ってレール取付溝を有し、レール取付溝に商品陳列部材の支持具を取付自在な複数の係合部を有するレールを取付けてあることを特徴とする什器。
【発明の詳細な説明】
【技術分野】
【０００１】
本発明は、スーパーマーケットやドラッグストア等の店舗において商品を陳列するために用いられる什器に関する。
【背景技術】
【０００２】
従来、店舗用の什器は、図１１（ａ），（ｂ）に示すように、柱９０には棚板を受ける支持具を取付けるためのスリット９１が長手方向に沿って設けられ、スリットが変形しないように強度を持たせる必要があるため、前後の柱９０がスチール製の角パイプで形成してあり、柱９０間にパネル９２を取付ける場合は、柱９０の見付け面に断面コ字形のレール９３を取付けたり、角パイプ状の押縁９４を取付けたりして、パネル９２の端部を保持していた。
店舗の環境によっては、棚板の材質や厚み等を変更したり、棚板の代わりに洋服等を掛けるためのバー状のものを取付けたい場合等があるが、上記のように従来の什器は、柱がスチールの角パイプで形成され、柱自体に棚板等を取付けるためのスリットを形成しており、スリットの形状は棚板等の種類によってまちまちなので、後から棚板等を変更したりするのが困難で、柔軟性に欠けるものであった。
【発明の概要】
【発明が解決しようとする課題】
【０００３】
本発明は以上に述べた実情に鑑み、棚板等を変更したりするのが容易な什器の提供を目的とする。
【課題を解決するための手段】
【０００４】
上記の課題を達成するために請求項１記載の発明による什器は、前後の柱と、柱に支持される商品陳列部材とを備え、柱は、長手方向に沿ってレール取付溝を有し、レール取付溝に商品陳列部材の支持具を取付自在な複数の係合部を有するレールを取付けてあることを特徴とする。
【発明の効果】
【０００５】
請求項１記載の発明による什器は、柱に長手方向に沿ってレール取付溝を有し、レール取付溝に商品陳列部材の支持具を取付自在な複数の係合部を有するレールを取付けたことで、共通の柱に係合部の形状を異ならせたレールを選択的に取付けたり、後からレールのみを交換したりすることで、棚板等を変更したりするのが容易である。
【図面の簡単な説明】
【０００６】
【図１】図５のＡ−Ａ断面図である。
【図２】図５のＢ−Ｂ断面図である。
【図３】図２のＣ−Ｃ断面図である。
【図４】図５のＤ−Ｄ断面図である。
【図５】（ａ）は本発明の什器の第１実施形態を示す平面図、（ｂ）は同正面図、（ｃ）は同側面図である。
【図６】本発明の什器の変更例を示す横断面図である。
【図７】棚板をガラス製のものに変更した例を示す縦断面図である。
【図８】図７のＥ−Ｅ断面図である。
【図９】本発明の什器の第２実施形態を示す縦断面図である。
【図１０】レールの他の例を示す平面図と正面図である。
【図１１】従来の什器を示す斜視図である。
【発明を実施するための形態】
【０００７】
以下、本発明の実施の形態を図面に基づいて説明する。図１〜５は、本発明の什器の第１実施形態を示している。本什器は、図５に示すように、左右両側と中央部の前側及び後側にそれぞれ配置された計６本の柱１，２を有し、柱１，２に支持して棚板１０が複数枚設けてある。前後の柱１，２間には、図１に示すように、側面パネル３が取付けてある。前後の柱１，２は、図２に示すように、上端部が上連結材１１で連結され、下端部が下連結材１２で連結されている。また、図１，２に示すように、後側に配置された３本の柱２，２間には後面パネル１３が取付けてあり、後側の柱２，２の上端部と下端部とに横連結材１４ａ，１４ｂがそれぞれ架設してある。
【０００８】
前側の柱１は、アルミニウム合金の押出形材よりなり、図１に示すように、断面の外形が略正方形になっており、中心に貫通孔１５が設けられ、左右の見込面にレール取付溝４を有し、前側の見付面にカバー取付溝１６を、後側の見付面にパネル取付溝８をそれぞれ有している。カバー取付溝１６とパネル取付溝８は、略Ｃ字形の同じ形状で形成してあり、柱１は前後・左右対称な断面形状となっている。
レール取付溝４には、棚板の支持具６を取付けるためのレール５が取付けてある。レール５は、スチールで断面コ字形に形成してあり、図２に示すように、レール取付溝４からのぞく見込面に、棚板の支持具６を取付自在な係合部７がレール５の長手方向に沿って複数設けてある。係合部７は、縦に長いスリット状になっている。
【０００９】
パネル取付溝８には、図１に示すように、パネル受け９が取付けてある。パネル受け９は、アルミ又は樹脂の押出形材により断面略台形状に形成され、幅が広い方の見付面にパネル取付溝８の入り口側のスリット部に係止する一対の爪片１７を有し、他方の見付面側に内周側に開口したパネル保持溝１８を有し、パネル保持溝１８に軟質樹脂又はゴムで形成されたビード１９を介して側面パネル３の端部を挟持している。パネルを挟み込む一方の壁は、押縁２０として着脱自在に設けてある。側面パネル３は、板厚が５ｍｍの樹脂又はガラス製の透光性を有するものとなっている。なお側面パネル３は、同じ板厚の透光性を有しないパネル、例えばアルミ製や木製のパネルに変更することができる。
カバー取付溝１６には、カバー２１が取付けてある。カバー２１は、アルミ又は樹脂の押出形材よりなり、略矩形断面の中空状の照明収容部２２と、その前方に設けた略台形状断面の突出部２３を有している。カバー２１は、柱１側の見付面に形成した一対の爪片２４をカバー取付溝１６に挿入し係止することで取付けている。照明収容部２２内にはＬＥＤ照明２５が長手方向に沿って取付けてあり、側面に形成したスリット２６より棚板１０に陳列した商品を照らせるようにしてある。突出部２３の先端部にはモール取付溝２７が形成してあり、モール取付溝２７に軟質樹脂で形成されたモール２８を取付けてある。
【００１０】
後側の柱２は、アルミニウム合金の押出形材よりなり、図１に示すように、断面の外形が前側の柱１を前後に２つ繋げたような略長方形になっている。後側の柱２は、見込面の前寄りの位置にレール取付溝４を有し、見込面の後寄りの位置にパネル取付溝２９を有し、前側の見付面にパネル取付溝８を、後側の見付面にカバー取付溝１６をそれぞれ有している。各パネル取付溝２９，８とカバー取付溝１６は、略Ｃ字形の同じ形状で形成してあり、柱２は左右対称な断面形状となっている。
レール取付溝４には、前側の柱１と同様にレール５を取付けてある。前側の見付面のパネル取付溝８には、パネル受け９が取付けられ、パネル受け９で側面パネル３の端部を保持している。見込面のパネル取付溝２９には、パネル受け９が取付けられ、パネル受け９で後面パネル１３の端部を保持している。後側の見付面のカバー取付溝１６には、照明収容部を有しない略台形状断面のカバー３０が取付けてある。カバー３０はモール取付溝２７を有し、モール取付溝２７にモール２８を取付けてある。
【００１１】
上連結材１１は、図４に示すように、前側の柱１と同じ断面形状のアルミ押出形材よりなり、上面にカバー取付溝１６を、下面にパネル取付溝８を有している。カバー取付溝１６には、後側の柱２と同じカバー３２が取付けてある。パネル取付溝８には、パネル受け９が取付けられ、パネル受け９で側面パネル３の上端部を保持している。前後の柱１，２と上連結材１１とのコーナー部には、図２に示すように、１／４円弧状のコーナー部材３１が設けてある。モール２８は、前側の柱１のカバー２１と上連結材１１のカバー３２と後側の柱２のカバー３０にまたがって連続して取付けてある。
下連結材１２と横連結材１４ａ，１４ｂは、図２，４に示すように、外形が略長方形の同一の断面形状のアルミ押出形材よりなり、上下面と側面とにパネル取付溝８を有している。下連結材１２は、上面のパネル取付溝８にパネル受け９を取付け、パネル受け９で側面パネル３の下端部を保持している。横連結材１４ａ，１４ｂは、上側の横連結材１４ａの下面のパネル取付溝８と、下側の横連結材１４ｂの上面のパネル取付溝８とにパネル受け９を取付け、パネル受け９で後面パネル１３の上下端部を保持している。
【００１２】
前後の柱１，２のレール５には、図２，３に示すように、上下方向に多数設けられた係合部７に支持具６を適宜取付け、支持具６に支持して棚板１０を設置する。図２，３は、棚板１０が木製の場合で、この場合の支持具６は、レール５の係合部７に挿入されて係合する被係合部３３と、棚板１０が載置される載置部３４と、棚板１０と係合して棚板１０がずれるのを規制する突起３５を有する。
【００１３】
本什器は、柱１，２に取付けられるカバー２１，３０を変更したり、側面パネル３・後面パネル１３を材質や厚みの異なるものに変更したり、棚板１０を材質や厚みの異なるものに変更することで、店舗の環境等に応じて容易にカスタマイズできる。
図６（ａ）は、前側の柱１のカバー２１を、照明収容部を有しないもの（後側の柱のカバー３０と同じもの）に変更した場合を示している。
図６（ｂ）は、側面パネル３と後面パネル１３を、柱１，２の見付寸法と略同じ厚みのアルミ形材パネル３６とした場合を示している。アルミ形材パネル３６は、端部の見付面に一対の爪片３７が形成されており、この爪片３７を柱１，２のパネル取付溝８，２９に挿入して係止させることで、パネル受け９を介さずに直接パネル取付溝８，２９に取付けている。またアルミ形材パネル３６は、複数のパネルを嵌合連結部３８で連結して構成してある。
図６（ｃ）は、側面パネル３と後面パネル１３を、柱１，２の見付寸法と略同じ厚みの木製パネル３９とした場合を示している。木製パネル３９は、一対の表面板４０，４０にスペーサー４１を挟み込んで接着した構造となっており、パネル受け９を介して柱１，２のパネル取付溝８，２９に取付けている。
図６（ｄ）は、側面パネル３と後面パネル１３を透光性を有する樹脂パネル４２，４２の二重構造とした場合を示している。この場合は、柱１，２のパネル取付溝８，２９にパネル受け９を取付け、樹脂パネル４２，４２はパネル受け９に両側から押縁２０，２０で取付けている。樹脂パネル４２には、棚板１０に陳列される商品の広告等を印刷したフィルムが貼られ、パネル受け９は、一対の樹脂パネル４２，４２の間に照明具の取付部４３を有しており、その取付部４３にＬＥＤ照明２５を取付けることで、樹脂パネル４２に貼った広告等のフィルムをＬＥＤの光で発光させ、買い物客に商品をアピールしたりできる。
【００１４】
図７，８は、棚板１０をガラス製の棚板に変更した場合を示している。棚板の支持具６は、レール５の係合部７に挿入されて係合する被係合部３３と、円柱状の棚受け部４４を有し、棚受け部４４に棚板１０を載置している。
またレール５は、図１０（ａ）に示すように、係合部７を円形のダボ孔形状としたり、図１０（ｂ）に示すように、横長の孔形状とすることもでき、適当な係合部７を有するレール５を選択的に用いることで、棚板１０及び支持具６の材質・形状等の変更により広範に対応できる。
【００１５】
以上に述べたように本什器は、アルミ押出形材で形成した前後の柱１，２の見付面にパネル取付溝８を有し、側面パネル３は厚みや材質の異なる複数種類のうちから選択し、その端部を直接又はパネル受け９を介してパネル取付溝８に保持することで、組立施工性が良好であると共に、店舗の環境に応じた意匠対応が容易である。
また柱１，２の見込面にレール取付溝４を有し、レール取付溝４に棚板の支持具６を取付自在な複数の係合部７を有するレール５を取付けたことで、柱１，２をアルミ押出形材で形成したとしても、レール５をスチール製とすることで、係合部７に十分な強度を持たせられ、棚板１０の耐荷重をスチール製の柱を用いた場合と同等とすることができる。また、棚板の支持具６の係合部７をレール５に設けることで、柱１，２を共通としレール５の係合部７の形状を変えるだけで、多種類の棚板１０及び支持具６に対応できる。係合部７は、柱１，２の見込面よりも少し奥まった位置にあるため、係合部７が目立たない。
後側の柱２は、レール取付溝４よりも後側の見込面にパネル取付溝２９を有しているので、パネル取付溝２９に材質や厚みの異なる後面パネル１３を直接又はパネル受け９を介して取付けでき、後面パネル１３の取付施工性も良好である。
さらに本什器は、前側の柱１の前面と後側の柱２の後面にカバー取付溝１６を有しており、カバー取付溝１６にカバー２１，３０を取付けることで意匠性を一層向上させられると共に、カバー２１，３０の材質や色を変えることで意匠に変化を持たせられ、またカバー２１，３０内に照明を設置することもできる。
【００１６】
図９は、本発明に係る什器の第２実施形態を示している。この什器は、上連結材１１が端面を前後の柱１，２の見付面に当接して固定してあり、上連結材１１の上面にはカバー３２を取付けていない。前後の柱１，２の上端と、前後の柱１，２に取付けられるカバー２１，３０の上端には、それぞれ小口キャップ４５ａ，４５ｂ，４５ｃ，４５ｄが取付けてある。前側の柱１のカバー２１は、照明収容部２２を有しないもの（後側の柱２のカバー３０と同じもの）を用いている。それ以外の点は、第１実施形態と同様である。
【００１７】
本発明は以上に述べた実施形態に限定されない。柱１，２、レール５、カバー２１，３０等の各部材の材質・断面形状は、適宜変更することができる。レール取付溝４は、柱１，２の見付面（前面又は後面）に設けることもできる。実施形態のものは柱１，２の本数が６本であるが、柱１，２の本数が４本のものや、８本以上のものとすることもできる。前後の柱１，２を同じものとし、後面パネル１３を取付けないものであってもよい。また、側面パネル３は、必ずしもなくてもよい。商品陳列部材は、棚板１０に限らず、例えば洋服等を掛けるためのバー状のものであってもよい。
【符号の説明】
【００１８】
１  前側の柱（柱）
２  後側の柱（柱）
３  側面パネル（パネル）
４  レール取付溝
５  レール
６  棚板の支持具
７  係合部
８  パネル取付溝
９  パネル受け
１０  棚板（商品陳列部材）
【図１】
2015058235.tif 000003
【図２】
2015058235.tif 000004
【図３】
2015058235.tif 000005
【図４】
2015058235.tif 000006
【図５】
2015058235.tif 000007
【図６】
2015058235.tif 000008
【図７】
2015058235.tif 000009
【図８】
2015058235.tif 000010
【図９】
2015058235.tif 000011
【図１０】
2015058235.tif 000012
【図１１】
2015058235.tif 000013